(57)【要約】【課題】液晶ディスプレイパネル装置などの外筐などとして用いられる枠組み装置で、アルミニウムなどからなる奥行方向に一定の幅を有する枠体を容易に製造することができ、各コーナー部の組立て位置ずれをほとんど生じないとともに、外観に締結用のネジやリベットなどが見えない構造とすることができるようにする。【解決手段】外枠は、外枠上側板１１０、外枠下側板、外枠左側板および外枠右側板１４０によって構成する。外枠上側板１１０および外枠右側板１４０の内面に、透明上側板２１０および透明右側板２４０と、ホルダー６２０および７５０を貼り付け、外枠上側板１１０の右端部および外枠右側板１４０の上端部に挿入したコーナージョイント４２０およびコーナーブラケット３２０によって保持する。左上コーナー部、左下コーナー部および右下コーナー部も、同様とする。【選択図】図１４
2006053528.tif 000002
【特許請求の範囲】
【請求項１】
上下左右の側板からなる外枠と、
この外枠の内側に配置された内枠と、
前記外枠の各側板を前記内枠に固定保持する、前記外枠の各側板の内側に貼り付けられた保持部材とを備え、
前記外枠の各コーナー部において前記外枠の上下の側板と左右の側板が嵌合された枠組み装置。
【請求項２】
請求項１の枠組み装置において、
前記外枠の各側板は、アルミニウムの押し出し成型品であることを特徴とする枠組み装置。
【請求項３】
請求項２の枠組み装置において、
前記保持部材は、内側に前記内枠に固定する手段を有する板状体であることを特徴とする枠組み装置。
【請求項４】
請求項３の枠組み装置において、
前記外枠の各側板は、それぞれ内側に貼り付けられた基板を有することを特徴とする枠組み装置。
【請求項５】
請求項４の枠組み装置において、
前記外枠の各側板は、内側に係止用スリットを有し、前記外枠の各コーナー部には、前記係止用スリットに挿入されることによって、それぞれ前記側板、前記基板および前記保持部材を一体的に保持するジョイントを有することを特徴とする枠組み装置。
【請求項６】
請求項５の枠組み装置において、
前記外枠の各コーナー部には、前記外枠の上下または左右の側板の前記係止用スリットに圧入されることによって、前記ジョイントを前記コーナー部に固定保持するブラケットを有することを特徴とする枠組み装置。
【請求項７】
請求項６の枠組み装置において、
前記基板は、両端部に傾斜面を有し、前記外枠の各コーナー部には、そのコーナー部における上下の基板の前記傾斜面と左右の基板の前記傾斜面とが対向する部分を覆うカバー部材を有することを特徴とする枠組み装置。
【請求項８】
請求項７の枠組み装置において、
前記基板は、透明板であるとともに、その内側面および外側面には鏡面印刷がなされ、かつ前記傾斜面が鏡面仕上げされていることを特徴とする枠組み装置。
【請求項９】
上下左右の側板からなる外枠、
この外枠の内側に配置された内枠、および、
前記外枠の各側板を前記内枠に固定保持する、前記外枠の各側板の内側に貼り付けられた保持部材を有し、
前記外枠の各コーナー部において前記外枠の上下の側板と左右の側板が嵌合された枠組み装置と、
この枠組み装置の前記内枠の内側に配置された電子装置と、
を備える電子機器。
【請求項１０】
請求項９の電子機器において、
前記電子装置がフラットディスプレイパネルであることを特徴とする電子機器。
【請求項１１】
請求項１０の電子機器において、
前記フラットディスプレイパネルが液晶ディスプレイパネルであることを特徴とする電子機器。
【発明の詳細な説明】
【技術分野】
【０００１】
この発明は、各種の電子装置の外筐や筐体などとして用いられる枠組み装置、および液晶ディスプレイパネルなどのフラットディスプレイパネルなどの電子装置を枠組み装置に取り付けた電子機器に関する。
【背景技術】
【０００２】
液晶ディスプレイパネルやプラズマディスプレイパネルなどのフラットディスプレイパネルには枠組み部品が取り付けられ、またはフラットディスプレイパネルは枠組み装置に取り付けられる。
【０００３】
特許文献１（特開２００４−６９８２２号公報）には、このような枠組み構造として、フラットディスプレイパネルの背面側の枠体の左右方向の裾部、およびフラットディスプレイパネルの前面側の透明パネルの左右方向の端部に、その裾部および端部を挟持する保持部材を取り付けることが示されている。
【０００４】
また、特許文献２（特開２００４−６１９２２号公報）には、フラットディスプレイパネルの背面側に筐体を取り付け、前面ガラス板の左右方向の端部にスピーカ収納部を設けることが示されている。
【０００５】
上に挙げた先行技術文献は、以下のとおりである。
【特許文献１】特開２００４−６９８２２号公報
【特許文献２】特開２００４−６１９２２号公報
【発明の開示】
【発明が解決しようとする課題】
【０００６】
しかし、装置全体の機械的強度や美観などを高める観点から、フラットディスプレイパネル装置として、フラットディスプレイパネルの上下左右の四辺を枠体で囲む構造にしたい場合がある。
【０００７】
この場合の枠組み装置としては、上下左右の枠部を一体に形成した枠体を用意すればよく、例えばプラスチックの一体成形によれば、そのような枠体を容易に製造することができる。
【０００８】
しかし、美観上などの点から、上記の枠体をアルミニウムなどの金属によって形成し、しかも、フラットディスプレイパネルが大画面のものであっても、画面の周囲の部分は比較的小さくし、装置全体をコンパクトにするなどのために、枠体の上下左右の枠部を、それぞれ上下方向または左右方向の厚みが小さく、奥行方向（画面に垂直な方向）には一定の幅を有する側板状にしたい場合がある。
【０００９】
しかし、このような枠体をアルミニウムダイキャストなどの一体成形によって製造する場合には、それ用の特殊な金型を必要とし、しかも成型に時間がかかる。
【００１０】
そこで、この発明は、枠組み装置として、アルミニウムの押し出し成型品などからなる奥行方向に一定の幅を有する枠体を容易に製造することができ、各コーナー部の組立て位置ずれをほとんど生じないとともに、外観に締結用のネジやリベットなどが見えない構造とすることができるようにしたものである。
【課題を解決するための手段】
【００１１】
この発明の枠組み装置は、
上下左右の側板からなる外枠と、
この外枠の内側に配置された内枠と、
前記外枠の各側板を前記内枠に固定保持する、前記外枠の各側板の内側に貼り付けられた保持部材とを備え、
前記外枠の各コーナー部において前記外枠の上下の側板と左右の側板が嵌合されたものである。
【発明の効果】
【００１２】
上記の構成の、この発明の枠組み装置では、外枠をアルミニウムなどによって奥行方向に一定の幅を有するものとして形成する場合でも、金型を使用したアルミニウムダイキャストなどの一体成形によらずに、アルミニウムの押し出し成型などの方法によって、外枠を容易に製造することができる。
【００１３】
しかも、外枠の各コーナー部では、外枠の上下の側板と左右の側板が、すなわち、上側板と左側板、上側板と右側板、下側板と左側板、および下側板と右側板が、それぞれ嵌合されるので、各コーナー部の組立て位置ずれをほとんど生じない。
【００１４】
さらに、外枠の各側板は内側に貼り付けられた保持部材によって内枠に固定保持され、外枠の外側、すなわち外枠の各コーナー部の外側には、保持部材および締結用のネジやリベットなどが見えず、外枠の各コーナー部が上下の側板と左右の側板の嵌合によって組立てられることと相俟って、美観的にも優れたものとなる。
【発明を実施するための最良の形態】
【００１５】
［１．枠組み装置を備える電子機器の実施形態：図１］
図１は、この発明の枠組み装置の一例を備える、この発明の電子機器の一例を示し、液晶ディスプレイパネル装置の場合である。
【００１６】
この例の液晶ディスプレイパネル装置は、枠組み装置１０と液晶ディスプレイパネル２０とを備え、スタンド５１に取り付けられる。
【００１７】
枠組み装置１０は、外枠１００、図１では省略した内枠（キャビネット）、および外枠１００と内枠との間に介在された透明上側板２１０、透明下側板２２０、透明左側板２３０および透明右側板２４０を備え、外枠１００の左上、右上、左下および右下のコーナー部に、コーナーカバー５１０，５２０，５３０および５４０が設けられたものである。
【００１８】
透明上側板２１０、透明下側板２２０、透明左側板２３０および透明右側板２４０は、これを介して液晶ディスプレイパネル装置の背後の壁などが見えることによって、液晶ディスプレイパネル２０の表示画面が宙に浮いているように見えるフローティング効果を創出するものである。
【００１９】
液晶ディスプレイパネル２０は、内枠の内側に取り付けられ、液晶表示素子およびバックライトを備え、さらに液晶表示素子およびバックライトを駆動する回路部や電源部を備えるものである。
【００２０】
液晶ディスプレイパネル２０の表示画面の周縁と、透明上側板２１０、透明下側板２２０、透明左側板２３０および透明右側板２４０の内側の縁との間のエリアには、内部を覆い隠すようにフロントマスク８９０が配置される。
【００２１】
図では省略したが、フロントマスク８９０には、左右のスピーカの配置位置に相当する位置に多数の微細な放音用丸穴が形成される。
【００２２】
なお、以下では、液晶ディスプレイパネル２０の表示画面の縦方向を上下方向、表示画面の横方向を左右方向、表示画面に垂直な方向（図１の紙面に垂直な方向）を奥行方向（前後方向）、より表示画面の中心に近づく方向を内側、より表示画面の中心から遠ざかる方向を外側とし、奥行方向については、図１の紙面の表側を正面側、図１の紙面の裏側を背面側とする。
【００２３】
［２．枠組み装置の実施形態：図２〜図１５］
（２−１．外枠の各側板の構成）
図２に、枠組み装置１０の内枠を除く部分を示す。
【００２４】
外枠１００は、外枠上側板１１０、外枠下側板１２０、外枠左側板１３０および外枠右側板１４０によって構成される。
【００２５】
外枠上側板１１０、外枠下側板１２０、外枠左側板１３０および外枠右側板１４０は、それぞれ、後述のような同一断面形状の、例えばアルミニウムの押し出し材（押し出し成型品）によって形成される。
【００２６】
図３に、外枠上側板１１０および外枠下側板１２０の、外面（外側の面）、側面（正面側または背面側の面）および内面（内側の面）を示し、図４に、外枠左側板１３０および外枠右側板１４０の、外面（外側の面）、側面（正面側または背面側の面）および内面（内側の面）を示し、図５に、図３および図４のラインＦ５上における、外枠上側板１１０、外枠下側板１２０、外枠左側板１３０および外枠右側板１４０の断面形状を示し、図６に、外枠上側板１１０、外枠下側板１２０、外枠左側板１３０および外枠右側板１４０の各リブおよびベース面を定義する。
【００２７】
なお、外枠上側板１１０については、図３の左方向を表示画面の左方向とし、外枠下側板１２０については、逆に図３の右方向を表示画面の左方向とし、外枠左側板１３０については、図４の左方向を表示画面の上方向とし、外枠右側板１４０については、逆に図４の右方向を表示画面の上方向とする。
【００２８】
上記の押し出し成型によって、外枠上側板１１０、外枠下側板１２０、外枠左側板１３０および外枠右側板１４０の内面側には、それぞれ、リブＲ１，Ｒ２，Ｒ３，Ｒ４，Ｒ５，Ｒ６，Ｒ７およびＲ８が、各側板の幅方向および長さ方向において対称に、一体に形成され、図５に示すように、外枠上側板１１０、外枠下側板１２０、外枠左側板１３０および外枠右側板１４０には、それぞれ、３つのスリット３ｅ，３ｆおよび３ｇが、各側板の幅方向に並んで形成される。
【００２９】
リブＲ１，Ｒ２，Ｒ３およびＲ４の面１ａ，１ｂ，１ｃおよび１ｄは、同一平面とされ、スリット３ｅ，３ｆおよび３ｇを形成する面２ｅ，２ｆおよび２ｇも、ベース面２として、同一平面とされる。
【００３０】
両側のスリット３ｆおよび３ｇの、それぞれ幅方向における両端部分の間隙ｔ１は、それぞれ幅方向における中央部分の間隙ｔ２より小さくされる。
【００３１】
図５において二点鎖線で示すように、透明上側板２１０、透明下側板２２０、透明左側板２３０および透明右側板２４０は、それぞれ、外枠上側板１１０、外枠下側板１２０、外枠左側板１３０および外枠右側板１４０の、同一平面とされた内側の面１ａ，１ｂ，１ｃおよび１ｄに、後述のように両面接着テープによって貼り付けられる。
【００３２】
図３に示すように、外枠上側板１１０および外枠下側板１２０の両端部（左右端部）の内面側は、押し出し成型後の機械加工によって、リブＲ１〜Ｒ６の一部がカットされて、上記のベース面２の一部となる平面２ｈとされ、この平面２ｈの端部に、幅方向に延長した溝部１１５が形成される。
【００３３】
また、同様に押し出し成型後の機械加工によって、外枠上側板１１０および外枠下側板１２０のリブＲ７の左右端部には、傾斜凹部１１２ａが形成され、リブＲ８の左右端部にも、傾斜凹部が形成される。
【００３４】
図４に示すように、外枠左側板１３０および外枠右側板１４０の両端部（上下端部）の内面側も、押し出し成型後の機械加工によって、リブＲ１〜Ｒ６の一部がカットされて、上記のベース面２の一部となる平面２ｈとされ、この平面２ｈの端部に、外枠上側板１１０または外枠下側板１２０の上記の溝部１１５に嵌合する凸部１４４が形成される。
【００３５】
また、同様に押し出し成型後の機械加工によって、外枠左側板１３０および外枠右側板１４０のリブＲ７の上下端部には、外枠上側板１１０または外枠下側板１２０の上記の傾斜凹部１１２ａに突き当てられる傾斜凸部１４２ａが形成され、リブＲ８の上下端部にも、同様の傾斜凸部が形成される。
【００３６】
（２−２．透明板およびホルダーの構成および貼り付け）
図１、図２および図５で上述したように、外枠上側板１１０、外枠下側板１２０、外枠左側板１３０および外枠右側板１４０の内面には、それぞれ、透明上側板２１０、透明下側板２２０、透明左側板２３０および透明右側板２４０が、両面接着テープによって貼り付けられる。
【００３７】
透明上側板２１０、透明下側板２２０、透明左側板２３０および透明右側板２４０は、それぞれ、アクリル板やポリカーボネート板などによって形成され、例えば、図５に示すような上下方向または左右方向の厚みｄが１０ｍｍ前後、奥行方向（前後方向）の幅ｗが数ｃｍ以上、というように、厚みｄに比べて幅ｗが大きいものとされる。
【００３８】
図２に示すように、透明上側板２１０の内面には、左側の位置にホルダー６１０が、右側の位置にホルダー６２０が、中央の位置にホルダー６３０が、それぞれ両面接着テープによって貼り付けられる。
【００３９】
透明下側板２２０の内側にも、左側の位置にホルダー６５０が、右側の位置にホルダー６６０が、中央の位置にホルダー６７０が、それぞれ両面接着テープによって貼り付けられる。
【００４０】
同様に、透明左側板２３０の内側には、上側の位置にホルダー７１０が、下側の位置にホルダー７２０が、中央の位置にホルダー７３０が、それぞれ両面接着テープによって貼り付けられ、透明右側板２４０の内側にも、上側の位置にホルダー７５０が、右側の位置にホルダー７６０が、中央の位置にホルダー７７０が、それぞれ両面接着テープによって貼り付けられる。
【００４１】
各ホルダーは、金属製の板状体とされるとともに、ホルダー６１０の内側には突片６１１，６１２，６１３および６１４が、ホルダー６２０の内側には突片６２１，６２２，６２３および６２４が、ホルダー６３０の内側には突片６３１および６３３が、というように、各ホルダーの内側には、これらが貼り付けられた透明上側板２１０、透明下側板２２０、透明左側板２３０および透明右側板２４０が貼り付けられた外枠上側板１１０、外枠下側板１２０、外枠左側板１３０および外枠右側板１４０、すなわち外枠１００を、内枠に取り付けるための突片が、それぞれ一体に形成され、これら突片がネジによって内枠に締結されることによって、外枠１００と内枠が合体され、枠組み装置１０が構成される。
【００４２】
（２−３．内枠の構成）
図７に、内枠の一例を示す。この例の内枠９００は、内枠上側板部９１０、内枠下側板部９２０、内枠左側板部９３０および内枠右側板部９４０からなる内枠本体部９５０と、内枠前面部９６０とを有し、プラスチックが一体成型されることによって形成される。
【００４３】
内枠本体部９５０の内側には、上記の各ホルダーの各突片がネジ止めされるネジ孔部９７０が形成され、内枠前面部９６０の左右の板部には、スピーカが臨む透孔９８０が形成される。
【００４４】
そして、上述したように、このように一体化された内枠９００に、図２に示したように透明上側板２１０、透明下側板２２０、透明左側板２３０および透明右側板２４０が貼り付けられた外枠１００が取り付けられる。
【００４５】
（２−４．外枠側部の構成）
図８に、外枠１００の上側部の構成を示す。図１および図２では示していないが、図８（Ａ）に示すように、透明上側板２１０の左右の端面２１１および２１２は、左右方向および上下方向に対して４５度の傾きの傾斜面とされるとともに、この傾斜面は、鏡面仕上げされる。
【００４６】
ホルダー６１０，６２０および６３０は、それぞれ両面接着テープによって透明上側板２１０の内面に貼り付けられ、そのホルダー６１０，６２０および６３０が貼り付けられた透明上側板２１０は、両面接着テープによって外枠上側板１１０の内面に貼り付けられる。
【００４７】
図８（Ｂ）に示すような、この組立て状態で、透明上側板２１０の内側および外側の両面接着テープが正面側から見えないように、あらかじめ、すなわち両面接着テープによる貼り付け前に、透明上側板２１０の内面および外面には、印刷によって鏡面薄膜が形成される。
【００４８】
外枠１００の上側部の構成部品としては、そのほか、図２に示した左上コーナー部１１の組立て用に、コーナーブラケット３１０、コーナージョイント４１０およびコーナーカバー５１０が用いられ、図２に示した右上コーナー部１２の組立て用に、コーナーブラケット３２０、コーナージョイント４２０およびコーナーカバー５２０が用いられる。
【００４９】
外枠１００の下側部は、上述した上側部と上下対称に構成される。
【００５０】
図９に、外枠１００の左側部の構成を示す。図１および図２では示していないが、図９（Ａ）に示すように、透明左側板２３０の上下の端面２３１および２３２は、左右方向および上下方向に対して４５度の傾きの傾斜面とされるとともに、この傾斜面は、鏡面仕上げされる。
【００５１】
ホルダー７１０，７２０および７３０は、それぞれ両面接着テープによって透明左側板２３０の内面に貼り付けられ、そのホルダー７１０，７２０および７３０が貼り付けられた透明左側板２３０は、両面接着テープによって外枠左側板１３０の内面に貼り付けられる。
【００５２】
図９（Ｂ）に示すような、この組立て状態で、透明左側板２３０の内側および外側の両面接着テープが正面側から見えないように、あらかじめ、すなわち両面接着テープによる貼り付け前に、透明左側板２３０の内面および外面には、印刷によって鏡面薄膜が形成される。
【００５３】
外枠１００の右側部は、上述した左側部と左右対称に構成される。
【００５４】
（２−５．外枠端部の構成）
図１０に、外枠上側板１１０の右端部の構成を示す。図１０（Ａ）は、正面側から見た図であり、図１０（Ｂ）は、内側から見た図である。
【００５５】
外枠上側板１１０の、図３および図６に示したリブＲ７により形成される正面側端部１１２の右端には、図３にも示したように傾斜凹部１１２ａが形成され、図３および図６に示したリブＲ８により形成される背面側端部１１３の右端にも、傾斜凹部１１３ａが形成される。
【００５６】
外枠上側板１１０の、図３および図６に示したリブＲ５およびＲ６の右端には、同様に機械加工によって、それぞれ、上記の傾斜凹部１１２ａおよび１１３ａに隣接して嵌合リブ１１２ｂおよび１１３ｂが形成される。
【００５７】
外枠上側板１１０の右端部の内面（平面）２ｈは、上記のようにベース面２の一部であり、その右端の、外枠上側板１１０の右端面１１４から僅かな距離の位置には、図３にも示したように、外枠上側板１１０の幅方向に延長した溝部１１５が形成される。
【００５８】
外枠上側板１１０のベース面２の正面側端部１１２寄りの部分には、上記のリブＲ３が右端面１１４から所定の長さ分、カットされることによって、係合板部１１６が一体に形成され、背面側端部１１３寄りの部分にも、上記のリブＲ４が右端面１１４から所定の長さ分、カットされることによって、係合板部１１７が一体に形成される。
【００５９】
さらに、外枠上側板１１０のベース面２の幅方向の中央部には、それぞれ、上記のリブＲ１およびＲ２が右端面１１４から上記の長さより長い分、カットされることによって、係止板部１１８および１１９が一体に形成される。
【００６０】
係合板部１１６および係止板部１１８は、図５に示したように面２ｆとの間にスリット３ｆを形成し、係合板部１１７および係止板部１１９は、図５に示したように面２ｇとの間にスリット３ｇを形成し、係止板部１１８および１１９は、図５に示したように面２ｅとの間にスリット３ｅを形成するものである。
【００６１】
外枠上側板１１０の左端部は、上記の右端部に対して左右対称に形成される。また、外枠下側板１２０の左端部は、外枠上側板１１０の左端部に対して上下対称に形成され、外枠下側板１２０の右端部は、外枠上側板１１０の右端部に対して上下対称に、すなわち外枠下側板１２０の左端部に対して左右対称に形成される。
【００６２】
（２−６．各コーナー部で用いられる部品および各コーナー部の組立て）
図１１に、図８に示した外枠上側板１１０の右端部で用いられるコーナーブラケット３２０の構成を示す。図１１（Ａ）は、正面側から見た図であり、図１１（Ｂ）は、内側から見た図である。
【００６３】
コーナーブラケット３２０は、外枠上側板１１０の右端部に沿う上側板部３２１と、これに対して垂直な、外枠右側板１４０の上端部に沿う右側板部３２７とが、一体に形成されたものとされる。
【００６４】
その上側板部３２１の正面側および背面側には、脚部３２２および３２３が形成され、その脚部３２２，３２３間の右端は、後述のように係止端縁３２６とされる。
【００６５】
さらに、上側板部３２１の正面側および背面側の縁には、係合爪３２４および３２５が、例えば２個ずつ形成される。
【００６６】
図８に示した外枠上側板１１０の左端部で用いられるコーナーブラケット３１０は、上記のコーナーブラケット３２０に対して左右対称に形成される。また、外枠下側板１２０の左端部および右端部で用いられるコーナーブラケットは、それぞれコーナーブラケット３１０および３２０に対して上下対称に形成される。
【００６７】
各コーナー部１１，１２，１３および１４を組立てる前に、以下の工程を以下の順序で行う。
【００６８】
（１）まず、外枠上側板１１０、外枠下側板１２０、外枠左側板１３０および外枠右側板１４０の内面に、それぞれ両面接着テープを貼り付ける。
【００６９】
（２）次に、図２に示したホルダー６１０，６２０，６３０，６５０，６６０，６７０，７１０，７２０，７３０，７５０，７６０および７７０に、それぞれ両面接着テープを貼り付ける。
【００７０】
（３）次に、そのホルダー６１０，６２０および６３０を透明上側板２１０に貼り付け、ホルダー６５０，６６０および６７０を透明下側板２２０に貼り付け、ホルダー７１０，７２０および７３０を透明左側板２３０に貼り付け、ホルダー７５０，７６０および７７０を透明右側板２４０に貼り付ける。
【００７１】
（４）次に、その透明上側板２１０を外枠上側板１１０の内面に貼り付け、透明下側板２２０を外枠下側板１２０の内面に貼り付け、透明左側板２３０を外枠左側板１３０の内面に貼り付け、透明右側板２４０を外枠右側板１４０の内面に貼り付ける。
【００７２】
以上の工程を行った後、以下のように、外枠上側板１１０のコーナー部１１，１２および外枠下側板１２０のコーナー部１３，１４を組立てる。
【００７３】
外枠上側板１１０の右上コーナー部１２の組立てについて示すと、まず、後述のように、図８に示したコーナーカバー５２０をコーナージョイント４２０に貼り付け、そのコーナーカバー５２０が貼り付けられたコーナージョイント４２０を外枠上側板１１０の右端部に挿入する。
【００７４】
次に、図１２（Ａ）に示すように、コーナーブラケット３２０の上側板部３２１の係合爪３２４および３２５を内側に曲げ、さらに、図１２（Ｂ）の矢印３２８で示すように、そのコーナーブラケット３２０の上側板部３２１を、外枠上側板１１０の右端部の係合板部１１６および１１７とベース面２との間に挿入する。ただし、図１２（Ｂ）および図１２（Ｃ）では、上記のコーナーカバー５２０およびコーナージョイント４２０を省略している。
【００７５】
図１３（Ａ）に示すように、係合板部１１６および１１７は、それぞれ、正面側端部１１２および背面側端部１１３寄りの部分が、間隙ｔ１を形成する相対的に低い屋根を構成し、その部分より係止板部１１８および１１９に近い部分が、間隙ｔ２を形成する相対的に高い屋根を構成するものである。
【００７６】
そして、図１２（Ｂ）、図１２（Ｃ）および図１３（Ｂ）では省略したが、図１３（Ａ）に示すように、コーナージョイント４２０の後述する外側横板部４２１を、間隙ｔ２中の内側の相対的に幅の狭い部分に挿入し、さらに、コーナーブラケット３２０の上側板部３２１の脚部３２２および３２３を、コーナージョイント４２０の外側横板部４２１に重ねて、相対的に幅の広い間隙ｔ１の部分に挿入する。
【００７７】
このとき、図１２（Ｃ）および図１３（Ｂ）に示すように、コーナーブラケット３２０の上側板部３２１は、脚部３２２，３２３間の係止端縁３２６が係止板部１１８および１１９に突き当たり、右側板部３２７が溝部１１５の一部を覆う位置まで圧入する。
【００７８】
このようにコーナーブラケット３２０が外枠上側板１１０の右端部に圧入された状態では、図１２（Ｂ）の矢印３２９で示すようにコーナーブラケット３２０を外枠上側板１１０の右端部から引き抜こうとしても、係合爪３２４および３２５が係合板部１１６および１１７の正面側端部１１２および背面側端部１１３寄りの低い屋根の部分に喰い込むために、コーナーブラケット３２０を引き抜くことができない。
【００７９】
したがって、一旦、コーナーカバー５２０、コーナージョイント４２０およびコーナーブラケット３２０を外枠上側板１１０の右端部に組立てた後は、その組立て部を破壊するなどの非常手段によらない限り、組立て状態が保持される。
【００８０】
図１４に、右上コーナー部１２の組立て状態を示す。コーナージョイント４２０は、外側横板部４２１、外側縦板部４２２、内側横板部４２３、内側縦板部４２４および連結板部４２５が一体に形成されたものとされ、その外側横板部４２１は、図１１、図１２および図１３に示したコーナーブラケット３２０の上側板部３２１と同様に、２つの脚部を有するものとされる。
【００８１】
ただし、図１３（Ａ）に示したように、コーナージョイント４２０の奥行方向（図１３の左右方向、図１４の紙面に垂直な方向）の幅は、コーナーブラケット３２０のそれ（奥行方向の幅）より小さくされる。
【００８２】
右上コーナー部１２のコーナーカバー５２０は、コーナーカバー基部５２３の奥行方向（図１４の紙面に垂直な方向）の両端に、二点鎖線で示すように、透明上側板２１０の右端および透明右側板２４０の上端を覆い隠す形状の端板部５２１が、コーナーカバー基部５２３と一体に形成されたものとされる。図１および図２のコーナーカバー５２０は、そのうちの正面側の端板部を示したものである。
【００８３】
右上コーナー部１２の組立てに当たっては、まず、図１４に示すように、コーナーカバー基部５２３を両面接着テープ８２０により連結板部４２５に貼り付けることによって、コーナーカバー５２０をコーナージョイント４２０に取り付ける。
【００８４】
次に、そのコーナーカバー５２０が取り付けられたコーナージョイント４２０の外側横板部４２１を、両面接着テープ８１２によりホルダー６２０が貼り付けられた透明上側板２１０が、両面接着テープ８１１により貼り付けられた外枠上側板１１０の右端部に、図１２（Ｃ）および図１３（Ｂ）に示した係止板部１１８および１１９に突き当たる位置まで、図１３（Ａ）で上述したように挿入する。
【００８５】
このとき、コーナージョイント４２０の内側横板部４２３は、ホルダー６２０の透明上側板２１０に沿う板部６２５の両面接着テープ８１２が貼り付けられていない面を内側から支持するように機能する。
【００８６】
このとき、外枠右側板１４０は、両面接着テープ８１４によりホルダー７５０が貼り付けられた透明右側板２４０が、両面接着テープ８１３により貼り付けられている。
【００８７】
なお、ホルダー６２０は、板部６２５の内側に突片６２２を有するものであり、ホルダー７５０も、板部７５５の内側に突片７５２を有するものである。
【００８８】
このようにコーナージョイント４２０を外枠上側板１１０の右端部に挿入した後、図１２および図１３で上述したように、コーナーブラケット３２０を外枠上側板１１０の右端部に圧入する。
【００８９】
以上で、外枠上側板１１０の右上コーナー部１２の組立てが終了する。同様に、外枠上側板１１０の左上コーナー部１１の組立てが終了することによって、図８（Ｂ）の状態となる。
【００９０】
外枠下側板１２０についても、外枠上側板１１０と同様の組立てを行う。
【００９１】
次に、上述したように組立てられた外枠上側板１１０、外枠下側板１２０、外枠左側板１３０および外枠右側板１４０を、内枠９００に組立てる。
【００９２】
まず、外枠左側板１３０および外枠右側板１４０を内枠９００に取り付けるが、このとき、外枠左側板１３０および外枠右側板１４０側の各ホルダーの突片を内枠本体部９５０の図示しないスリットに挿入し、図７に示すネジ孔部９７０にネジで固定することによって、外枠左側板１３０および外枠右側板１４０を内枠９００に取り付ける。
【００９３】
次に、各コーナー部１１，１２，１３および１４を合わせて、外枠上側板１１０および外枠下側板１２０側の各ホルダーの突片を内枠本体部９５０の図示しないスリットに挿入し、図７に示すネジ孔部９７０にネジで固定することによって、外枠上側板１１０および外枠下側板１２０を内枠９００に取り付ける。
【００９４】
このとき、右上コーナー部１２については、図１４に示すように、コーナージョイント４２０の外側縦板部４２２およびコーナーブラケット３２０の右側板部３２７が、外枠右側板１４０の上端部に挿入され、コーナージョイント４２０の外側縦板部４２２および内側縦板部４２４によって、上記のように両面接着テープ８１４および８１３により一体化された外枠右側板１４０、透明右側板２４０およびホルダー７５０が挟持される。左上コーナー部１１、左下コーナー部１３および右下コーナー部１４についても、同様である。
【００９５】
図１５に、外枠上側板１１０と外枠右側板１４０の嵌合状態の一例を示す。
【００９６】
外枠右側板１４０の上端の正面側には、図４にも示したように、図３および図１０に示した外枠上側板１１０の傾斜凹部１１２ａに嵌合する傾斜凸部１４２ａが形成され、外枠右側板１４０の上端の背面側にも、図１０に示した外枠上側板１１０の傾斜凹部１１３ａに嵌合する傾斜凸部が形成される。
【００９７】
また、外枠右側板１４０の上端には、図４にも示したように、図３、図１０（Ｂ）、図１２（Ｃ）および図１３（Ｂ）に示した外枠上側板１１０の溝部１１５に嵌合する凸部１４４が形成される。さらに、外枠右側板１４０の上端右面には、正面側および背面側の端部に上端係止部１４４ｘおよび１４４ｙが形成される。
【００９８】
そして、上述したようにコーナーブラケット３２０を外枠上側板１１０の右端部に圧入した後、外枠右側板１４０の上端の凸部１４４を外枠上側板１１０の右端の溝部１１５に挿入し、外枠右側板１４０の正面側の傾斜凸部１４２ａを外枠上側板１１０の傾斜凹部１１２ａに突き当て、外枠右側板１４０の背面側の傾斜凸部を外枠上側板１１０の傾斜凹部１１３ａに突き当て、外枠上側板１１０の右端面１１４が外枠右側板１４０の上端係止部１４４ｘ，１４４ｙ間に嵌合するように、外枠右側板１４０を外枠上側板１１０に嵌合する。
【００９９】
このように右上コーナー部１２は、ネジやリベットなどによらずに、外枠上側板１１０と外枠右側板１４０との嵌合によって組立てられ、美観的にも優れたものとなる。
【０１００】
左上コーナー部１１、左下コーナー部１３および右下コーナー部１４も、同様に構成され、同様に嵌合によって組立てる。
【０１０１】
このように組立てられた枠組み装置１０では、右上コーナー部１２での外枠上側板１１０と外枠右側板１４０の組立て状態は、左右方向、上下方向および奥行方向（前後方向）のいずれの方向にも、ほとんど位置ずれを生じない。左上コーナー部１１での外枠上側板１１０と外枠左側板１３０の組立て状態、左下コーナー部１３での外枠下側板１２０と外枠左側板１３０の組立て状態、および右下コーナー部１４での外枠下側板１２０と外枠右側板１４０の組立て状態についても、同じである。
【０１０２】
さらに、図１５に示すように、右上コーナー部１２では、透明上側板２１０の右端の傾斜した端面２１２、および透明右側板２４０の上端の傾斜した端面２４１が、コーナーカバー５２０の端板部５２１によって覆い隠される。これによって、透明上側板２１０および透明右側板２４０につき、製作上の誤差や、外枠上側板１１０および外枠右側板１４０への取り付け（貼り付け）位置の誤差を生じても、右上コーナー部１２において透明上側板２１０の右端および透明右側板２４０の上端が見えることがなく、製品の品位が保持される。
【０１０３】
さらに、透明上側板２１０および透明右側板２４０は、いずれも、両面接着テープ８１２および８１１または両面接着テープ８１４および８１３が貼り付けられる内側および外側の面に鏡面印刷がなされるとともに、透明上側板２１０の右端の傾斜した端面２１２、および透明右側板２４０の上端の傾斜した端面２４１は、鏡面仕上げされるので、コーナーカバー５２０の裏側を斜め方向から覗いても、枠組み装置１０を構成している部品や枠組み装置１０の構造が一切見えず、上述したフローティング効果と相俟って、枠組み装置１０ないし図１に示した液晶ディスプレイパネル装置として、美しい体裁を実現することができる。
【０１０４】
この美観上および体裁上の点は、左上コーナー部１１、左下コーナー部１３および右下コーナー部１４についても同様であり、枠組み装置１０全体について言えるものである。
【０１０５】
さらに、外枠上側板１１０、透明上側板２１０、および図２に示したホルダー６１０，６２０および６３０が、両面接着テープ８１２および８１１を含む何本かの両面接着テープで貼り付けられ、一番内側のホルダー６１０，６２０および６３０が、図７に示した内枠９００のネジ孔部９７０に固定されるので、このままでは、外枠上側板１１０に強い外力が加えられた時に、または経時変化などによって、両面接着テープで貼り付けられた箇所が剥がれるおそれがある。
【０１０６】
しかし、上述した例では、図８に示したコーナージョイント４１０および４２０が、外枠上側板１１０、透明上側板２１０、およびホルダー６１０および６２０を一体的に強固に保持するので、上記のような剥がれのおそれがなく、例えば、リフターによって外枠上側板１１０を吸着して枠組み装置１０ないし液晶ディスプレイパネル装置を移動する場合でも、何ら問題なく作業を行うことができる。
【０１０７】
［３．他の実施形態］
上述した例は、液晶ディスプレイパネル２０の表示画面が宙に浮いているように見えるフローティング効果を創出するために、透明上側板２１０、透明下側板２２０、透明左側板２３０および透明右側板２４０を用いる場合であるが、フローティング効果を創出しない場合には、透明上側板２１０、透明下側板２２０、透明左側板２３０および透明右側板２４０に代えて、それぞれ別の基板を用いることもできる。
【０１０８】
さらに、外枠１００と内枠９００との間に、このような基板を介在させずに、外枠上側板１１０、外枠下側板１２０、外枠左側板１３０および外枠右側板１４０を、これに貼り付けたホルダーによって内枠９００に取り付けるようにしてもよい。
【０１０９】
また、上述した例は、この発明を液晶ディスプレイパネル装置に適用した場合であるが、この発明は、プラズマディスプレイパネル装置などの、他のフラットディスプレイパネル装置にも適用することができ、さらには、フラットディスプレイパネル装置に限らず、他の電子機器にも適用することができる。
【図面の簡単な説明】
【０１１０】
【図１】この発明の電子機器の一例としての液晶ディスプレイパネル装置を示す図である。
【図２】この発明の枠組み装置の一例の内枠を除く部分を示す図である。
【図３】外枠上側板および外枠下側板の一例の外面、側面および内面を示す図である。
【図４】外枠左側板および外枠右側板の一例の外面、側面および内面を示す図である。
【図５】図３および図４のラインＦ５上の断面を示す図である。
【図６】図５の断面構造におけるリブを定義するための図である。
【図７】内枠の一例を示す図である。
【図８】枠組み装置の上側部の一例を示す図である。
【図９】枠組み装置の左側部の一例を示す図である。
【図１０】外枠上側板の右端部の一例を示す図である。
【図１１】コーナーブラケットの一例を示す図である。
【図１２】外枠上側板の右端部にコーナーブラケットが圧入された状態を示す図である。
【図１３】外枠上側板の右端部にコーナーブラケットが圧入された状態を示す図である。
【図１４】枠組み装置の右上コーナー部の組立て状態を示す図である。
【図１５】枠組み装置の右上コーナー部の嵌合状態を示す図である。
【符号の説明】
【０１１１】
主要部については図中に全て記述したので、ここでは省略する。
【図１】
2006053528.tif 000003
【図２】
2006053528.tif 000004
【図３】
2006053528.tif 000005
【図４】
2006053528.tif 000006
【図５】
2006053528.tif 000007
【図６】
2006053528.tif 000008
【図７】
2006053528.tif 000009
【図８】
2006053528.tif 000010
【図９】
2006053528.tif 000011
【図１０】
2006053528.tif 000012
【図１１】
2006053528.tif 000013
【図１２】
2006053528.tif 000014
【図１３】
2006053528.tif 000015
【図１４】
2006053528.tif 000016
【図１５】
2006053528.tif 000017